(57)【要約】【課題】  簡易な構造を有し反射面を形成できるカードを提供する。【解決手段】  従来のカードに変わって、両面を形成し、前記両面のうちの少なくとも一面に光を反射できる反射面を設けられ、反射面を設けられる前記一面に各々に延びる複数の直線状の折り目である複数の折り目線を設けられるものとし、例えば、複数の前記折り目線が各々に交差して交点を結ぶ多角形の輪郭を形成し、例えば、折り畳まれる線である折り畳み線を境にして前記両面を持つ第１カード部に隣合う他の前記両面を持つ第２カード部を形成する、ものとした。【選択図】    図２
2013216032.tif 000002
【特許請求の範囲】
【請求項１】
カードであって、
両面を形成し、
前記両面のうちの少なくとも片面に光を反射できる反射面を設けられ、
反射面を設けられる前記片面に各々に延びる複数の直線状の折り目である複数の折り目線を設けられる、
ことを特徴とするカード。
【請求項２】
複数の前記折り目線が各々に交差して交点を結ぶ多角形の輪郭を形成する、
ことを特徴とする請求項１に記載のカード。
【請求項３】
複数の前記折り目線が前記反射面を設けられる前記片面の周辺部に各々に沿って互いに並列して延びる１対の前記折り目線である１対の第１折り目線と前記周辺部に各々に沿って互いに並列して延びる１対の前記折り目線である１対の第２折り目線とを有し、
１対の前記第１折り目線と１対の前記第２折り目線とが互いに各々に交差する、
ことを特徴とする請求項２に記載のカード。
【請求項４】
前記周辺部が四辺形の輪郭をもち、
１対の前記第１折り目線が互いに平行する１対の辺に平行になる様に延び、
１対の前記第２折り目線が互いに平行する他の１対の辺に平行になる様に延びる、
ことを特徴とする請求項３に記載のカード。
【請求項５】
折り畳まれる線である折り畳み線を境にして前記両面を持つ第１カード部に隣合う他の前記両面を持つ第２カード部を形成する、
ことを特徴とする請求項４に記載のカード。
【請求項６】
複数の前記折り目線が前記反射面に位置する面である囲い面を囲う様に配される複数の前記折り目線を有し、
前記囲い面の領域に複数の前記第３折り目線の互いの交点を結ぶ線状の切れ目である切れ目線が設けられる、
ことを特徴とする請求項５に記載のカード。
【請求項７】
前記第３折り目線が１対の前記第１折り目線と１対の前記第２折り目線との互いの複数の交点を対角線状に各々に結ぶ仮想の線である仮想対角線に交差する、
ことを特徴とする請求項６に記載のカード。
【請求項８】
前記折り畳み線である第１折り畳み線に直交しており折り畳まれる他の折り畳み線である第２折り畳み線を境にして前記第１カード部に隣り合う他の両面を持つ第３カード部と前記第２折り畳み線を境にして前記第２カード部に隣り合う他の両面を持つ第４カード部とを形成し、
前記第１折り畳み線と前記第２折り畳み線とを境にして平面に展開したときに前記第１カード部と前記第２カード部と前記第３カード部と前記第４カード部との同一の方向を向く各々の片面に光を反射できる反射面を設けられる、
ことを特徴とする請求項７に記載のカード。
【請求項９】
前記折り畳み線を境に折り畳み可能であり、
前記該折り畳み線を介して互いに隣合う１対の前記両面を形成し、
１対の前記両面のうちのひとつの前記両面のうちの少なくとも片面に光を反射できる反射面を設けられ、
前記反射面を設けられる前記片面に各々に延びる複数の前記前記折り目線を設けられる、
ことを特徴とする請求項１に記載のカード。
【請求項１０】
前記反射面に位置する面である囲い面を囲う様に配される複数の前記折り目線である複数の第３折り目線を設けられ、
前記囲い面の領域に複数の前記第３折り目線の互いの交点を結ぶ線状の切れ目である切れ目線が設けられる、
ことを特徴とする請求項１に記載のカード。
【請求項１１】
複数の前記折り目線が前記反射面に位置する面である囲い面を囲う様に配される複数の前記折り目線である複数の第３折り目線を有し、
前記囲い面の領域に複数の前記第３折り目線の互いの交点を結ぶ切れ目が設けられ、
前記第３折り目線が１対の前記第１折り目線と１対の前記第２折り目線との互いの複数の交点を対角線状に結ぶ仮想の線である仮想対角線に交差する、
ことを特徴とする請求項３に記載のカード。
【請求項１２】
複数の前記折り目線が前記反射面に位置する面である囲い面を囲う様に配される複数の前記折り目線である複数の第３折り目線を有し、
前記囲い面の領域に複数の前記第３折り目線の互いの交点を結ぶ切れ目が設けられ、
前記第３折り目線が他の複数の前記折り目線の互いの複数の交点を対角線状に結ぶ仮想の線である仮想対角線に交差する、
ことを特徴とする請求項１に記載のカード。
【請求項１３】
折り畳まれる線である折り畳み線を境にして前記両面を持つ第１カード部に隣合う他の前記両面を持つ第２カード部を形成し、
前記折り畳み線である第１折り畳み線に直交して折り畳まれる他の折り畳み線である第２折り畳み線を境にして前記第１カード部に隣り合う他の両面を持つ第３カード部と前記第２折り畳み線を境にして前記第２カード部に隣り合う他の両面を持つ第４カード部とを形成し、
前記第１折り畳み線と前記第２折り畳み線とを境にして平面に展開したときに前記第１カード部と前記第２カード部と前記第３カード部と前記第４カード部との同一の方向を向く各々の片面に光を反射できる反射面を設けられる、
ことを特徴とする請求項１に記載のカード。
【請求項１４】
複数の前記折り目線が互いに各々に交差して三角形の輪郭を形成する、
ことを特徴とする請求項１に記載のカード。
【請求項１５】
複数の前記折り目線が互いに各々に交差して四角形の輪郭を形成する、
ことを特徴とする請求項１に記載のカード。
【発明の詳細な説明】
【技術分野】
【０００１】
本発明は、カードに係る。特に、片面に反射面を形成されるカードに関する。
【背景技術】
【０００２】
いろいろな目的で、反射面を形成されるカードが用いられる。
光が、反射面で反射する。
例えば、反射面は対象物の姿を映しだす鏡面として用いられる。
例えば、反射面は光を反射する鏡面として用いられる。
例えば、登山者が登山時に身に付けて、遭難時に太陽の光を反射して、捜索隊に自己の居場所を知らせるのに、用いられる。
この様な用途で用いる場合には、反射面が所定の平面度を維持できることを要求される。
一般に反射面の平面度を容易に維持できる様に、剛性の高い素材でできたカードの片面に反射面が形成される。
例えば、所定の厚みをもつプラスチックカードの表面に反射面が形成される。
また、捜索する者の発する光を反射して、自分の居場所を捜索する者に知らせたい場合がある。
【０００３】
万が一の時を考慮して持ち歩くカードは可能な限り軽量であることを望まれる。
【０００４】
例えば、地震等で建物内に閉じこめられたときに、救助隊に自身の存在を知らせたい。
この様な場合に、日常的に他の目的で使用しているカードに反射面が形成されていると便利である。例えば、名刺として用いているカードに反射面が形成されていると、便利である。
【発明の概要】
【発明が解決しようとする課題】
【０００５】
本発明は以上に述べた問題点に鑑み案出されたもので、簡易な構造を有し反射面を形成できるカードを提供する。
【課題を解決するための手段】
【０００６】
上記目的を達成するため、本発明に係るカードであって、両面を形成し、前記両面のうちの少なくとも片面に光を反射できる反射面を設けられ、反射面を設けられる前記片面に各々に延びる複数の直線状の折り目である複数の折り目線を設けられる、ものとした。
【０００７】
上記本発明の構成により、両面を形成する。前記両面のうちの少なくとも片面に光を反射できる反射面を設けられる。反射面を設けられる前記片面に各々に延びる複数の直線状の折り目である複数の折り目線を設けられる。
その結果、前記折り目線を境にカードを折ると、反射面の平面度を維持しやすくなり、反射面で反射させた光を遠くまで届けることをできる。
【０００８】
以下に、本発明の実施形態に係るカードを説明する。本発明は、以下に記載した実施形態のいずれか、またはそれらの中の二つ以上が組み合わされた態様を含む。
【０００９】
本発明の実施形態に係るカードは、複数の前記折り目線が各々に交差して交点を結ぶ多角形の輪郭を形成する。
上記の実施形態の構成により、複数の前記折り目線が各々に交差して交点を結ぶ多角形の輪郭を形成する。
その結果、前記折り目線を境にカードを折ると、反射面の複数の折り目線で囲われた多角形の領域の平面度を維持しやすくなり、反射面で反射させた光を遠くまで届けることをできる。
【００１０】
本発明の実施形態に係るカードは、複数の前記折り目線が前記反射面を設けられる前記片面の周辺部に各々に沿って互いに並列して延びる１対の前記折り目線である１対の第１折り目線と前記周辺部に各々に沿って互いに並列して延びる１対の前記折り目線である１対の第２折り目線とを有し、１対の前記第１折り目線と１対の前記第２折り目線とが互いに各々に交差する。
上記の実施形態の構成により、前記反射面を設けられる片面の周辺部に各々に沿って互いに並列して延びる１対の前記折り目線である１対の第１折り目線を設けられる。前記周辺部に各々に沿って互いに並列して延びる１対の前記折り目線である１対の第２折り目線を設けられる。１対の前記第１折り目線と１対の前記第２折り目線とが互いに各々に交差する。
その結果、前記折り目線を境にカードを折ると、反射面の第１折り目線と第２折り目線とで囲われた領域の平面度を維持しやすくなり、反射面で反射させた光を遠くまで届けることをできる
【００１１】
本発明の実施形態に係るカードは、前記周辺部が四辺形の輪郭をもち、１対の前記第１折り目線が互いに平行する１対の辺に平行になる様に延び、１対の前記第２折り目線が互いに平行する他の１対の辺に平行になる様に延びる。
上記の実施形態の構成により、前記周辺部が四辺形の輪郭をもつ。１対の前記第１折り目線が互いに平行する１対の辺に平行になる様に延びる。１対の前記第２折り目線が互いに平行する他の１対の辺に平行になる様に延びる。
その結果、前記折り目線を境にカードを折ると、１対の前記第１折り目線と１対の前記第２折り目線とで囲われた略四辺形の領域の平面度を維持しやすくなり、反射面で反射させた光を遠くまで届けることをできる。
【００１２】
本発明の実施形態に係るカードは、折り畳まれる線である折り畳み線を境にして前記両面を持つ第１カード部に隣合う他の前記両面を持つ第２カード部を形成する。
上記の実施形態の構成により、折り畳まれる線である折り畳み線を境にして前記両面を持つ第１カード部に隣合う他の前記両面を持つ第２カード部を形成する。
その結果、前記折り目線を境にカードを折り、他方の両面を形成する部分で反射面を形成する部分を支えると、反射面の平面度を維持しやすくなり、反射面で反射させた光を遠くまで届けることをできる。
【００１３】
本発明の実施形態に係るカードは、複数の前記折り目線が前記反射面に位置する面である囲い面を囲う様に配される複数の前記折り目線である複数の第３折り目線を有し、前記囲い面の領域に複数の前記第３折り目線の互いの交点を結ぶ線状の切れ目である切れ目線が設けられる。
上記の実施形態の構成により、複数の第３折り目線が前記反射面に位置する面である囲い面を囲う様に配される複数の前記折り目線である。前記囲い面の領域に複数の前記第３折り目線の互いの交点を結ぶ線状の切れ目である切れ目線が設けられる。
その結果、前記第３折り目線を境に折ると、前記囲い面の周囲の領域の平面度を維持しやすくなり、反射面で反射させた光を遠くまで届けることをできる。
【００１４】
本発明の実施形態に係るカードは、前記第３折り目線が１対の前記第１折り目線と１対の前記第２折り目線との互いの複数の交点を対角線状に各々に結ぶ仮想の線である仮想対角線に交差する。
上記の実施形態の構成により、前記第３折り目線が１対の前記第１折り目線と１対の前記第２折り目線との互いに複数の交点を対角線状に各々に結ぶ仮想の線である仮想対角線に交差する。
その結果、第３折り目線を境にカードを折ると、反射面の平面度をより維持しやくするなり、反射面で反射させた光を遠くまで届けることをできる。
【００１５】
本発明の実施形態に係るカードは、前記第３折り目線が複数の前記折り目線の互いの複数の交点を対角線状に結ぶ仮想の線である仮想対角線に交差する。
上記の実施形態の構成により、前記第３折り目線が複数の前記折り目線の互いの複数の交点を対角線状に結ぶ仮想の線である仮想対角線に交差する。
その結果、第３折り目線を境にカードを折ると、反射面の平面度をより維持しやくするなり、反射面で反射させた光を遠くまで届けることをできる。
【００１６】
本発明の実施形態に係るカードは、折り畳まれる線である折り畳み線を境にして前記両面を持つ第１カード部に隣合う他の前記両面を持つ第２カード部を形成し、前記折り畳み線である第１折り畳み線に直交しており折り畳まれる他の折り畳み線である第２折り畳み線を境にして前記第１カード部に隣り合う他の両面を持つ第３カード部と前記第２折り畳み線を境にして前記第２カード部に隣り合う他の両面を持つ第４カード部とを形成し、前記第１折り畳み線と前記第２折り畳み線とを境にして平面に展開したときに前記第１カード部と前記第２カード部と前記第３カード部と前記第４カード部との同一の方向を向く各々の片面に光を反射できる反射面を設けられる。
上記の実施形態の構成により、第２カード部が、折り畳まれる線である折り畳み線を境にして前記両面を持つ第１カード部に隣合う他の前記両面を持つ。第２折り畳み線が、前記折り畳み線である第１折り畳み線に直交しており折り畳まれる他の折り畳み線である。
第３カード部が、前記第２折り畳み線を境にして前記第１カード部に隣り合う他の両面を持つ。第４カード部が、前記第２折り畳み線を境にして前記第２カード部に隣り合う他の両面を持つ。前記第１折り畳み線と前記第２折り畳み線とを境にして平面に展開したときに前記第１カード部と前記第２カード部と前記第３カード部と前記第４カード部との同一の方向を向く各々の片面に光を反射できる反射面を設けられる。
その結果、前記第１折り畳み線を境にして前記第１カード部と前記第２カード部とを隣り合わせ、前記第１折り畳み線に直交する前記第２折り畳み線を境にして前記第１カード部と前記第３カード部、前記第２カード部と前記第４カード部とを隣り合わせ、平面に展開したときに４つの両面の一方の側各々の片面に反射面を設ける様にしたので、前記第３カード部と前記第４カード部との境を切り離し第１カード部と第２カード部とを重ねると前記第１カード部の片面と前記第２カード部の片面と前記第３カード部の片面とで互いに９０度に交差する反射面を形成でき、受けた光を来た方向に反射できる。
【００１７】
本発明の実施形態に係るカードは、複数の前記折り目線が互いに各々に交差して三角形の輪郭を形成する。
上記の実施形態の構成により、複数の前記折り目線が互いに各々に交差して三角形の輪郭を形成する、
その結果、複数の前記折り目線を折り曲げて三角形の反射面を形成できる様にしたので、前記折り目線を境にカードを折ると、反射面の複数の折り目線で囲われた三角形の領域の平面度を維持しやすくなり、三角形の反射面で反射させた光を遠くまで届けることをできる。
【００１８】
本発明の実施形態に係るカードは、複数の前記折り目線が互いに各々に交差して四角形の輪郭を形成する、
上記の実施形態の構成により、複数の前記折り目線が互いに各々に交差して四角形の輪郭を形成する、
その結果、複数の前記折り目線を折り曲げて四角形の反射面を形成できる様にしたので、前記折り目線を境にカードを折ると、反射面の複数の折り目線で囲われた四角形の領域の平面度を維持しやすくなり、四角形の反射面で反射させた光を遠くまで届けることをできる。
【発明の効果】
【００１９】
以上説明したように、本発明に係るカードは、その構成により、以下の効果を有する。
形成された両面のうちの少なくとも片面に反射面を設け、片面に複数の折り目線を設ける様にしたので、前記折り目線を境にカードを折ると、反射面の平面度を維持しやすくなり、反射面で反射させた光を遠くまで届けることをできる。
複数の前記折り目線を折り曲げて多角形の反射面を形成できる様にしたので、前記折り目線を境にカードを折ると、反射面の複数の折り目線で囲われた多角形の領域の平面度を維持しやすくなり、反射面で反射させた光を遠くまで届けることをできる。
また、周辺部に沿って並列して延びる１対の第１折り目線と１対の第２折り目線とを設け、１対の前記第１折り目線と１対の前記第２折り目線とが各々に交差する様にしたので、前記折り目線を境にカードを折ると、反射面の第１折り目線と第２折り目線とで囲われた領域の平面度を維持しやすくなり、反射面で反射させた光を遠くまで届けることをできる。
また、１対の前記第１折り目線は四辺形の１対の辺に平行に延び、１対の前記第２折り目線が四辺形の他の１対の辺に平行に延びる様にしたので、前記折り目線を境にカードを折ると、１対の前記第１折り目線と１対の前記第２折り目線とで囲われた略四辺形の領域の平面度を維持しやすくなり、反射面で反射させた光を遠くまで届けることをできる。
また、前記折り畳み線を境にして折り畳み可能であり、折り畳み線を境に一方の両面の少なくとも片面に反射面を形成し、片面に複数の折り目線を設ける様にしたので、前記折り目線を境にカードを折り、他方の両面を形成する部分で反射面を形成する部分を支えると、反射面の平面度を維持しやすくなり、反射面で反射させた光を遠くまで届けることをできる。
また、複数の第３折り目線が前記反射面に位置する囲い面を囲い、前記囲い面の領域に前記切れ目を設ける様にしたので、前記第３折り目線を境に折ると、前記囲い面の周囲の領域の平面度を維持しやすくなり、反射面で反射させた光を遠くまで届けることをできる。
また、前記第３折り目線が第１折り目線と第２折り目線との交点を対角線状に結ぶ仮想対角線に交差する様にしたので、第３折り目線を境にカードを折ると、反射面の平面度をより維持しやくするなり、反射面で反射させた光を遠くまで届けることをできる。
また、前記第３折り目線が複数の折り目線との交点を対角線状に結ぶ仮想対角線に交差する様にしたので、第３折り目線を境にカードを折ると、反射面の平面度をより維持しやくするなり、反射面で反射させた光を遠くまで届けることをできる。
また、前記第１折り畳み線を境にして前記第１カード部と前記第２カード部とを隣り合わせ、前記第１折り畳み線に直交する前記第２折り畳み線を境にして前記第１カード部と前記第３カード部、前記第２カード部と前記第４カード部とを隣り合わせ、平面に展開したときに４つの両面の一方の側各々の片面に反射面を設ける様にしたので、前記第３カード部と前記第４カード部との境を切り離し第１カード部と第２カード部とを重ねると前記第１カード部の片面と前記第２カード部の片面と前記第３カード部の片面とで互いに９０度に交差する反射面を形成でき、受けた光を来た方向に反射できる。
また、複数の前記折り目線を折り曲げて三角形の反射面を形成できる様にしたので、前記折り目線を境にカードを折ると、反射面の複数の折り目線で囲われた三角形の領域の平面度を維持しやすくなり、三角形の反射面で反射させた光を遠くまで届けることをできる。
また、複数の前記折り目線を折り曲げて四角形の反射面を形成できる様にしたので、前記折り目線を境にカードを折ると、反射面の複数の折り目線で囲われた四角形の領域の平面度を維持しやすくなり、四角形の反射面で反射させた光を遠くまで届けることをできる。
従って、簡易な構造を有し反射面を形成できるカードを提供する。
【図面の簡単な説明】
【００２０】
【図１】本発明の第一の実施形態に係るカードの展開図、使用説明図である。
【図２】本発明の第二の実施形態に係るカードの展開図、使用説明図である。
【図３】本発明の第三の実施形態に係るカードの展開図、使用説明図である。
【図４】本発明の第四の実施形態に係るカードの展開図、使用説明図である。
【図５】本発明の第五の実施形態に係るカードの展開図、使用説明図である。
【図６】本発明の第六の実施形態に係るカードの展開図、使用説明図である。
【図７】本発明の第七の実施形態に係るカードの展開図、使用説明図である。
【図８】本発明の第八の実施形態に係るカードの展開図、使用説明図である。
【図９】本発明の第九の実施形態に係るカードの展開図、使用説明図である。
【図１０】本発明の第十の実施形態に係るカードの展開図、使用説明図である。
【発明を実施するための形態】
【００２１】
以下、本発明を実施するための形態に係るカードを、図面を参照して説明する。
カード１０は、両面を形成する。
カード１０は、両面のうちの少なくとも片面に光を反射できる反射面Ｍを設けられる。
カード１０は、反射面を設けられる片面に各々に延びる複数の直線状の折り目である複数の折り目線２０を設けられる。
複数の折り目線２０が、互いに各々に交差して多角形の輪郭を形成してもよい。
例えば、複数の折り目線２０が、各々に交差して交点を結ぶ三角形の輪郭を形成する。
例えば、複数の折り目線２０が、各々に交差して交点を結ぶ四角形の輪郭を形成する。
例えば、複数の折り目線２０が、各々に交差して交点を結ぶ六角形の輪郭を形成する。
例えば、複数の折り目線２０が、各々に交差して交点を結ぶ星形の多角形の輪郭を形成する。
カード１０は、反射面を設けられる片面を囲う周辺部に各々に延びる複数の直線状の折り目である複数の折り目線２０を設けられてもよい。
カード１０は、片面を囲う周辺部に沿って各々に延びる複数の直線状の折り目である複数の折り目線２０を設けられてもよい。
カード１０は、片面を囲う周辺部に沿って各々に延びて互いに交差する１対の第１折り目線２１と周辺部に各々に沿って互いに並列して延びる１対の折り目線である１対の第２折り目線２２とを設けられてもよい。
例えば、折り目線２０は、線状に延びるミシン目でできる線である。
【００２２】
カード１０の周辺部が、任意の形状の輪郭を持っていてもよい。
カード１０の周辺部が、不定形の輪郭を持っていてもよい。
カード１０の周辺部が四辺形の輪郭を持っていてもよい。
カード１０の周辺部が多角形の輪郭を持っていてもよい。
カード１０の周辺部が円形の輪郭を持っていてもよい。
カード１０の周辺部が楕円形の輪郭を持っていてもよい。
カード１０の周辺部が名刺サイズの四辺形の輪郭をもっていてもよい。
【００２３】
カード１０が、折り畳み線３０を形成され、折り畳み線３０を境に折り畳み可能であってもよい。
折り畳み線３０は、折り畳みくせのついた折り目線である。
カード１０が、折り畳み線３０を介して互いに隣り合う１対の両面を形成してよい。
カード１０は、両面を持つ第１カード部１１と折り畳み線３０を境にして第１カード部１２に隣合う他の両面を持つ第２カード部１２とを形成してもよい。
例えば、カード１０が、第１カード部１１と第２カード部１２とを折り畳み線３０を境に繋げ、一体となる。
第１カード部１１が、一つの両面Ｓ１、Ｓ２を形成する。
第２カード部１２が、他の一つの両面Ｓ１、Ｓ２を形成する。
カード１０の１対の両面の周辺部が、任意の形状の輪郭を各々に持っていてもよい。
カード１０の１対の両面の周辺部が、四辺形の輪郭を持っていてもよい。
カード１０の１対の両面の周辺部が、多角形の輪郭を持っていてもよい。
カード１０の１対の両面のうちの一つの両面の周辺部が、任意の形状の輪郭を各々に持っていてもよい。
カード１０の１対の両面のうちの一つの両面の周辺部が、四辺形の輪郭を持っていてもよい。
カード１０の１対の両面のうちの一つの両面の周辺部が、多角形の輪郭を持っていてもよい。
【００２４】
カード１０が、第１カード部１１と第２カード部１２と第３カード部１３と第４カード部１４とを形成してもよい。  
第１カード部１１は、両面を形成する。
第２カード部１２は、第１折り畳み線３１を境にして第１カード部１１に隣り合う他の両面を形成する部分である。
第３カード部は、第２折り畳み線を境にして第１カード部に隣り合う他の両面を形成する部分である。
第４カード部は、第２折り畳み線を境にして第２カード部に隣り合う他の両面を形成する部分である。
第２折り畳み線３２は、折り畳み線である第１折り畳み線に直交しており折り畳まれる他の折り畳み線である。
第１折り畳み線３１と第２折り畳み線３２とを境にして平面に展開したときに第１カード部１１と第２カード部１２と第３カード部１３と第４カード部１４との同一の方向を向く各々の片面に光を反射できる反射面Ｍを設けられてもよい。
この結果、第３カード部１２と第４カード部１４との境を切り離し第１カード部１１と第２カード部１２とを重ねると、第１カード部１１の片面と第２カード部１２の片面と第３カード部１２の片面とで互いに９０度に交差する反射面を形成でき、受けた光を来た方向に反射できる。
【００２５】
カード１０が、反射面Ｍに位置する面である囲い面Ｘを囲う様に配される複数の折り目線である複数の第３折り目線２３を設けられてもよい。
複数の折り目線が各々に交差して、交点を結ぶ多角形の輪郭を形成してもよい。
例えば、第３折り目線２３がミシン目でできている。
複数の第３折り目線は、反射面Ｍに位置する面である囲い面Ｘを囲う様に配される。
例えば、複数の第３折り目線は、反射面Ｍに位置する面である多角形の輪郭を持つ囲い面Ｘを囲う様に配される。
例えば、複数の第３折り目線は、反射面Ｍに位置する面である星形の輪郭を持つ囲い面Ｘを囲う様に配される。
カード１０が、囲い面Ｘの領域に複数の第３折り目線２３の互いの交点を結ぶ線状の切れ目である切れ目線４０が設けられてもよい。
第３折り目線２３が、複数の折り目線の複数の交点を対角線状に各々に結ぶ仮想の線である仮想対角線５０に交差してもよい。
【００２６】
最初に、本発明の第一の実施形態にかかるカードを、図を基に、説明する。
図１は、本発明の第一の実施形態に係るカードの展開図、使用説明図である。
【００２７】
カード１０は、両面Ｓ１、Ｓ２を形成する。
カード１０は、両面のうちの少なくとも片面に光を反射できる反射面Ｍを設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００２８】
カード１０が、反射面Ｍを設けられる片面Ｓ１に各々に延びる複数の直線状の折り目である複数の折り目線２０を設けられる。
複数の折り目線２０が各々に交差して交点を結ぶ四辺形の輪郭を形成してもよい。
カード１０が、反射面Ｍを設けられる片面Ｓ１を囲う周辺部に沿って各々に延びる複数の直線状の折り目である複数の折り目線２０を設けられる。
例えば、複数の折り目線２０が、１対の第１折り目線２１ａ、２１ｂと１対の第２折り目線２２ａ、２２ｂとで構成される。
１対の第１折り目線２１ａ、２１ｂと１対の第２折り目線２２ａ、２２ｂとが、各々に交差してもよい。
１対の第１折り目線２１ａ、２１ｂが、周辺部に各々に沿って互いに並列して延びてもよい。
例えば、１対の第１折り目線２１ａ、２１ｂが、周辺部の輪郭の四辺形の辺Ｅ１に各々に沿って互いに並列して延びる。
１対の第２折り目線２２ａ、２２ｂが、周辺部に各々に沿って互いに並列して延びてもよい。
例えば、１対の第２折り目線２２ａ、２２ｂが、周辺部の輪郭の四辺形の他の辺Ｅ２に各々に沿って互いに並列して延びる。
例えば、１対の第１折り目線２１ａ、２１ｂと１対の第２折り目線２２ａ、２２ｂとが、互いに各々に直交する。
１対の第１折り目線と１対の第２折り目線との互いの交点より周辺部の輪郭に近い部分の一部または全部が、線状の切れ目である切れ目線４０であってもよい。
例えば、１対の第１折り目線と１対の第２折り目線との互いの交点より周辺部の輪郭に近い部分の一方が線状の切れ目である切れ目線４０である。
図１は、１対の第１折り目線２１ａ、２１ｂと１対の第２折り目線２２ａ、２２ｂとの互いの交点より周辺部の輪郭に近い部分の辺Ｅ１に直交する部分が線状の切れ目である切れ目線４０であるのを示す。
【００２９】
以下に、本発明の第１の実施形態にかかるカードの使用方法を説明する。
図１の下図が、本発明の第１の実施形態にかかるカードの使用態様を示す。
【００３０】
通常時、カードを所持する。  
必要のあるときに、カード１０の周辺部を、１対の第１折り目線２１ａ、２１ｂを境に反射面Ｍの側へ折る。
カード１０の周辺部を、１対の第２折り目線２２ａ、２２ｂを境に反射面Ｍの反対側へ折る。
反射面Ｍの１対の第１折り目線２１ａ、２１ｂと１対の第２折り目線２２ａ、２２ｂとで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
【００３１】
次に、本発明の第二の実施形態にかかるカードを、図を基に、説明する。
図２は、本発明の第二の実施形態に係るカードの展開図、使用説明図である。
【００３２】
カード１０は、両面Ｓ１、Ｓ２を形成する。
カード１０は、両面のうちの少なくとも片面に光を反射できる反射面を設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００３３】
カード１０は、折り畳み線３０を境に折り畳み可能である。
折り畳み線は、折り畳みくせのついた折り目線であってもよい。
カード１０は、第１カード部１１と第２カード部１２とで構成される。
第１カード部１１は、両面Ｓ１、Ｓ２を持つ。
第２カード部１２は、第１カード部１１に折り畳み線３０を境にして隣り合う他の両面Ｓ１、Ｓ２を持つ。
第１カード部１１と第２カード部１２とが折り畳み線３０を境に繋がる。  
カード１０が、折り畳み線３０を介して互いに隣合う１対の両面Ｓ１、Ｓ２を形成する。
カード１０が、１対の両面Ｓ１、Ｓ２のうちのひとつの両面Ｓ１、Ｓ２のうちの少なくとも片面Ｓ１に、光を反射できる反射面Ｍを設けられる。
【００３４】
第１カード部１１は、反射面を設けられる片面に各々に延びる複数の直線状の折り目である複数の折り目線２０を設けられる。
複数の折り目線２０が、各々に交差して、交点を結ぶ四角形の輪郭を形成してもよい。
第１カード部１１は、反射面Ｍを設けられる片面Ｓ１を囲う周辺部に各々に延びる複数の折り目線２０を設けられる。
第１カード部１１は、反射面Ｍを設けられる片面Ｓ１を囲う周辺部に沿って各々に延びる複数の折り目線２０を設けられる、
例えば、複数の折り目線２０が、１対の第１折り目線２１ａ、２１ｂと１対の第２折り目線２２ａ、２２ｂとで構成される。
１対の第１折り目線２１ａ、２１ｂと１対の第２折り目線２２ａ、２２ｂとが、互いに各々に交差してもよい。
１対の第１折り目線２１ａ、２１ｂが、周辺部に各々に沿って互いに並列して延びる。
例えば、１対の第１折り目線２１ａ、２１ｂが、周辺部の輪郭の四辺形の辺Ｅ１に各々に沿って互いに並列して延びる。
１対の第２折り目線２２ａ、２２ｂが、周辺部に各々に沿って互いに並列して延びる。
例えば、１対の第２折り目線２２ａ、２２ｂが、周辺部の輪郭の四辺形の他の辺Ｅ２に各々に沿って互いに並列して延びる。
例えば、１対の第１折り目線２１ａ、２１ｂと１対の第２折り目線２２ａ、２２ｂとが、互いに各々に４つの交点で直交する。
１対の第１折り目線２１ａ、２１ｂと１対の第２折り目線２２ａ、２２ｂとの互いの交点より周辺部の輪郭に近い部分の一部または全部が線状の切れ目である切れ目線４０であってもよい。
例えば、１対の第１折り目線２１ａ、２１ｂと１対の第２折り目線２２ａ、２２ｂとの互いの交点より周辺部の輪郭に近い部分の一方が線状の切れ目である切れ目線４０である。
図１は、１対の第１折り目線２１ａ、２１ｂと１対の第２折り目線２２ａ、２２ｂとの互いの交点より周辺部の輪郭に近い部分のうちの辺Ｅ１に直交する部分が線状の切れ目である切れ目線４０であるのを示す。
【００３５】
以下に、本発明の第二の実施形態にかかるカードの使用方法を説明する。
図２の上図が、本発明の第二の実施形態にかかるカードを展開する様子を示す。
図２の下図が、本発明の第二の実施形態にかかるカードの使用態様を示す。
【００３６】
通常は、カードを折り畳み線３０を境に折り畳んで、所持する。
必要なときに、第１カード部１１と第２カード部１２とを折り畳み線３０を境に切り離す。
第１カード部１１の周辺部を、１対の第１折り目線２１ａ，２１ｂを境に反射面Ｍの側へ折る。
第１カード部１１の周辺部を、１対の第２折り目線２２ａ、２２ｂを境に反射面Ｍの反対側へ折る。
第２カード部１２を湾曲させて、第２カード部１２の１対の辺を第１カード部１１の第２折り目線２２の谷側に沿う様に突き当てる。
反射面Ｍの１対の第１折り目線２１ａ、２１ｂと１対の第２折り目線２２ａ、２２ｂとで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
【００３７】
次に、本発明の第三の実施形態にかかるカード１０を、図を基に説明する。
図３は、本発明の第三の実施形態に係るカードの展開図、使用説明図である。
【００３８】
カード１０は、両面Ｓ１、Ｓ２を形成する。
カード１０は、両面のうちの少なくとも片面に光を反射できる反射面を設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００３９】
カード１０は、折り畳み線３０を境に折り畳み可能である。
折り畳み線は、折り畳みくせのついた折り目線であってもよい。
カード１０は、第１カード部１１と第２カード部１２とで構成される。
第１カード部１１は、両面Ｓ１、Ｓ２を持つ。
第２カード部１２は、第１カード部１１に折り畳み線３０を境にして隣り合う他の両面Ｓ１、Ｓ２を持つ。
第１カード部１１と第２カード部１２とが、折り畳み線３０を境に繋がる。  
カード１０が、折り畳み線３０を介して互いに隣合う１対の両面を形成する。
カード１０が、１対の両面Ｓ１、Ｓ２のうちのひとつの両面Ｓ１、Ｓ２のうちの少なくとも片面Ｓ１に、光を反射できる反射面Ｍを設けられる。
【００４０】
第１カード部１１は、反射面Ｍを設けられる片面Ｓ１を囲う周辺部に各々に延びる複数の折り目線２０を設けられる。
複数の折り目線２０が、各々に交差して、交点を結ぶ四角形の輪郭を形成してもよい。
第１カード部１１は、反射面Ｍを設けられる片面Ｓ１を囲う周辺部に沿って各々に延びる複数の折り目線２０を設けられる。
例えば、複数の折り目線２０が、１対の第１折り目線２１ａ、２１ｂと１対の第２折り目線２２ａ、２２ｂとで構成される。
１つの第２折り目線２２ａ、２２ｂが、折り畳み線３０を兼ねる。
１対の第１折り目線２１ａ、２１ｂと１対の第２折り目線２２ａ、２２ｂとが、各々に交差してもよい。
１対の第１折り目線２１ａ、２１ｂが、周辺部に各々に沿って互いに並列して延びてもよい。
例えば、１対の第１折り目線２１ａ、２１ｂが、周辺部の輪郭の四辺形の辺Ｅ１に各々に沿って互いに並列して延びる。
１対の第２折り目線２２ａ、２２ｂが、周辺部に各々に沿って互いに並列して延びてもよい。
例えば、１対の第２折り目線２２ａ、２２ｂが、周辺部の輪郭の四辺形の他の辺Ｅ２に各々に沿って互いに並列して延びる。
例えば、１対の第１折り目線２１ａ、２１ｂと１対の第２折り目線２２ａ、２２ｂとが、各々に直交する。
１対の第１折り目線２１ａ、２１ｂと１対の第２折り目線２２ａ、２２ｂとの互いの交点より周辺部の輪郭に近い部分の一部または全部が線状の切れ目である切れ目線４０であってもよい。
例えば、１対の第１折り目線２１ａ、２１ｂと１対の第２折り目線２２ａ、２２ｂとの互いの交点より周辺部の輪郭に近い部分の一方が線状の切れ目である切れ目線４０であってもよい。
図２は、１対の第１折り目線２１ａ、２１ｂと１対の第２折り目線２２ａ、２２ｂとの互いの交点より周辺部の輪郭に近い部分のうちの辺Ｅ１に直交する部分が線状の切れ目である切れ目線４０であるのを示す。
【００４１】
以下に、本発明の第三の実施形態にかかるカードの使用方法を説明する。
図３の上図が、本発明の第三の実施形態にかかるカードを展開した様子を示す。
図３の下図が、本発明の第三の実施形態にかかるカードの使用態様を示す。
【００４２】
通常は、カード１０を折り畳み線３０を境に折り畳んで所持する。
必要なとき、第１カード部１１と第２カード部１２とを折り目線３０を境に折り畳む。
第１カード部１１の周辺部を、１対の第１折り目線２１ａ、２１ｂを境に反射面Ｍの側へ折る。
第１カード部１１の周辺部を、１対の第２折り目線２２ａ、２２ｂを境に反射面Ｍの反対側へ折る。
第２カード部１２を湾曲させて、第２カード部１２の１対の辺を第１カード部１１の第２折り目線２２の谷側に沿う様に突き当てる。
反射面Ｍの１対の第１折り目線２１ａ、２１ｂと１対の第２折り目線２２ａ、２２ｂとで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
【００４３】
次に、本発明の第四の実施形態にかかるカードを、図を基に、説明する。
図４は、本発明の第四の実施形態に係るカードの展開図、使用説明図である。
【００４４】
カード１０は、両面Ｓ１、Ｓ２を形成する。
カード１０は、両面のうちの少なくとも片面に光を反射できる反射面を設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００４５】
カード１０が、反射面Ｍを設けられる片面を囲う周辺部に沿って各々に延びる複数の直線状の折り目である複数の折り目線を設けられる。
複数の折り目線２０が、各々に交差して、交点を結ぶ四辺形の輪郭と六角形の輪郭とを形成してもよい。
複数の折り目線２０が、１対の第１折り目線２１ａ、２１ｂと１対の第２折り目線２２ａ、２２ｂと複数の第３折り目線２３で構成されてもよい。
１対の第１折り目線２１ａ、２１ｂと１対の第２折り目線２２ａ、２２ｂとが、反射面Ｍを設けられる片面Ｓ１を囲う周辺部に沿って各々に延びる複数の直線状の折り目であってもよい。
１対の第１折り目線２１ａ、２１ｂと１対の第２折り目線２２ａ、２２ｂとが、互いに各々に交差してもよい。
１対の第１折り目線２１ａ、２１ｂが、周辺部に各々に沿って互いに並列して延びる。
例えば、１対の第１折り目線２１ａ、２１ｂが、周辺部の輪郭の四辺形の辺Ｅ１に各々に沿って互いに並列して延びる。
１対の第２折り目線２２ａ、２２ｂが、周辺部に各々に沿って互いに並列して延びる。
例えば、１対の第２折り目線２２ａ、２２ｂが、周辺部の輪郭の四辺形の他の辺Ｅ２に各々に沿って互いに並列して延びる。
例えば、１対の第１折り目線２１ａ、２１ｂと１対の第２折り目線２２ａ、２２ｂとが、各々に直交する。
１対の第１折り目線２１ａ、２１ｂと１対の第２折り目線２２ａ、２２ｂとの互いの交点より周辺部の輪郭に近い部分の一部または全部が線状の切れ目である切れ目線４０であってもよい。
例えば、１対の第１折り目線２１ａ、２１ｂと１対の第２折り目線２２ａ、２２ｂとの互いの交点より周辺部の輪郭に近い部分の一方が線状の切れ目である切れ目線４０であってもよい。
図４は、１対の第１折り目線２１ａ、２１ｂと１対の第２折り目線２２ａ、２２ｂとの互いの交点より周辺部の輪郭に近い部分の辺Ｅ１に直交する部分が線状の切れ目である切れ目線４０であるのを示す。
【００４６】
複数の第３折り目線２３が、反射面Ｍに位置する面である囲い面Ｘを囲う様に配される複数の折り目線である。
カード１０は、囲い面Ｘの領域に複数の第３折り目線２３の互いの交点を結ぶ線状の切れ目である切れ目線４０が設けられる。
第３折り目線２３が、１対の第１折り目線２１ａ、２１ｂと１対の第２折り目線２２ａ、２２ｂとの複数の交点を対角線状に各々に結ぶ仮想の線である仮想対角線５０に交差する。
図４が、６個の第３折り目線２３が六角形の囲い面Ｘを囲う様子を示す。
【００４７】
以下に、本発明の第四の実施形態にかかるカードの使用方法を説明する。
図４の下図が、本発明の第四の実施形態にかかるカードの使用態様を示す。
【００４８】
通常は、カード１０を所持する。
必要のあるとき、カード１０の周辺部を、１対の第１折り目線２１ａ、２１ｂを境に反射面Ｍの側へ折る。
カード１０の周辺部を、１対の第２折り目線２２ａ、２２ｂを境に反射面Ｍの反対側へ折る。
カード１０の囲い面Ｘを、複数の第３折り目線２３を境に反射面Ｍの反対側へ折る。
第３折り目線が、カード１０を仮想対角線５０を谷、または山にして折り曲げのくくする。
反射面Ｍの１対の第１折り目線２１ａ、２１ｂと１対の第２折り目線２２ａ、２２ｂとで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
第３折り目線でできる囲い部の輪郭に近似する影が、反射した太陽光がつくる光のパターンに、できる。
捜索隊は、反射した太陽光のパターンから、反射した太陽光が人為的なものであることを察知する。
【００４９】
次に、本発明の第五の実施形態にかかるカードを、図を基に、説明する。
図５は、本発明の第五の実施形態に係るカードの展開図、使用説明図である。
【００５０】
カード１０は、両面Ｓ１、Ｓ２を形成する。
カード１０は、両面のうちの少なくとも片面に光を反射できる反射面を設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００５１】
カード１０が、反射面Ｍを設けられる片面に各々に延びる複数の直線状の折り目である複数の折り目線を設けられる。
複数の折り目線２０が、互いに各々に交差して、交点を結ぶ六角形の輪郭を形成する。
カード１０は、反射面Ｍに位置する面である囲い面Ｘを囲う様に配される複数の折り目線である複数の第３折り目線２３を設けられる。
カード１０は、反射面Ｍに位置する面である複数の囲い面Ｘを囲う様に配される複数の折り目線である複数の第３折り目線２３を設けられる。
カード１０は、複数の囲い面Ｘの領域に複数の第３折り目線２３の互いの交点を結ぶ線状の切れ目である切れ目線４０が設けられる。
図５は、７個の囲い面Ｘを囲う様に配される複数の折り目線である複数の第３折り目線２３を設けられる様子を示す。
【００５２】
以下に、本発明の第五の実施形態にかかるカードの使用方法を説明する。
図５の下図が、本発明の第五の実施形態にかかるカードの使用態様を示す。
【００５３】
通常は、カードを所持する。
必要のあるときに、カード１０の囲い面Ｘを、複数の第３折り目線２３を境に反射面Ｍの反対側へ折る。
第３折り目線が、カード１０を仮想対角線５０を谷、または山にして折り曲げのくくする。
反射面Ｍの１対の第１折り目線２１ａ、２１ｂと１対の第２折り目線２２ａ、２２ｂとで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
第３折り目線でできる囲い部の輪郭に近似する影が、反射した太陽光がつくる光のパターンに、できる。
捜索隊は、反射した太陽光のパターンから、反射した太陽光が人為的なものであることを察知する。
【００５４】
最初に、本発明の第六の実施形態にかかるカードを、図を基に、説明する。
図６は、本発明の第六の実施形態に係るカードの展開図、使用説明図である。
【００５５】
カード１０は、両面Ｓ１、Ｓ２を形成する。
カード１０は、両面のうちの少なくとも片面に光を反射できる反射面を設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００５６】
カード１０が、反射面Ｍを設けられる片面を囲う周辺部に沿って各々に延びる複数の直線状の折り目である複数の折り目線を設けられる。
複数の折り目線２０が、互いに各々に交差して、交点を結ぶ八角形の輪郭を形成する。
例えば、複数の折り目線２０が、１対の第１折り目線２１ａ、２１ｂと１対の第２折り目線２２ａ、２２ｂと複数の第３折り目線２３とで構成される。
１対の第１折り目線２１ａ、２１ｂが、周辺部に各々に沿って互いに並列して延びる。
コ字状に延びる切れ目線が、１対の第１折り目線２１ａ、２１ｂに沿って延びる。コ字状に延びる切れ目線の端部が１対の第１折り目線２１ａ、２１ｂの端部に各々に繋がる。
例えば、１対の第１折り目線２１ａ、２１ｂが、周辺部の輪郭の四辺形の辺Ｅ１に各々に沿って互いに並列して延びる。
１対の第２折り目線２２ａ、２２ｂが、周辺部に各々に沿って互いに並列して延びる。
例えば、１対の第２折り目線２２ａ、２２ｂが、周辺部の輪郭の四辺形の他の辺Ｅ２に各々に沿って互いに並列して延びる。
図６は、１対の第１折り目線２１ａ、２１ｂとコ字状に延びる切れ目線４０とを組み合わせた４つの組が、カード１０の輪郭の四辺形の４辺に沿って各々に配置される。
【００５７】
複数の第３折り目線２３が、反射面Ｍに位置する面である囲い面Ｘを囲う様に配される複数の折り目線である。
コ字状に延びる切れ目線４０が、第３折り目線２３に沿って延びる。コ字状に延びる切れ目線の端部が第３折り目線２３の端部に繋がる。
第３折り目線２３が１対の第１折り目線２１ａ、２１ｂと１対の第２折り目線２２ａ、２２ｂとの複数の仮想の交点を対角線状に各々に結ぶ仮想の線である仮想対角線に交差する。
【００５８】
以下に、本発明の第六の実施形態にかかるカードの使用方法を説明する。
図６の下図が、本発明の第六の実施形態にかかるカードの使用態様を示す。
【００５９】
通常は、カードを所持する。
必要のあるときに、カード１０の周辺部を、１対の第１折り目線２１ａ、２１ｂを境に反射面Ｍの側へ折る。
カード１０の周辺部を、１対の第２折り目線２２ａ、２２ｂを境に反射面Ｍの側へ折る。
カード１０の周辺部を、４つの第３折り目線２３を境に反射面Ｍの側へ折る。
反射面Ｍの１対の第１折り目線２１ａ、２１ｂと１対の第２折り目線２２ａ、２２ｂとで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
【００６０】
次に、本発明の第七の実施形態にかかるカードを、図を基に、説明する。
図７は、本発明の第七の実施形態に係るカードの展開図、使用説明図である。
【００６１】
カード１０は、両面Ｓ１、Ｓ２を形成する。
カード１０は、両面のうちの少なくとも片面に光を反射できる反射面を設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００６２】
カード１０は、折り畳み線３０を境に折り畳み可能である。
カード１０は、第１カード部１１と第２カード部１２とで構成される。
第１カード部１１と第２カード部とが折り畳み線３０を境に繋がる。  
カード１０が、折り畳み線３０を介して互いに隣合う１対の両面を形成する。
カード１０が、１対の両面Ｓ１、Ｓ２のうちのひとつの両面Ｓ１、Ｓ２のうちの少なくとも片面Ｓ１に、光を反射できる反射面Ｍを設けられる。
【００６３】
第１カード部１１は、反射面Ｍを設けられる片面Ｓ１を囲う周辺部に各々に延びる複数の折り目線２０を設けられる。
複数の折り目線２０が、各々に交差して、交点を結ぶ四角形の輪郭を形成してもよい。
第１カード部１１は、反射面Ｍを設けられる片面Ｓ１を囲う周辺部に沿って各々に延びる複数の折り目線２０を設けられる、
例えば、複数の折り目線２０が、１対の第１折り目線２１ａ、２１ｂと１対の第２折り目線２２ａ、２２ｂとで構成される。
１対の第１折り目線２１ａ、２１ｂと１対の第２折り目線２２ａ、２２ｂとが、各々に交差してもよい。
１対の第１折り目線２１ａ、２１ｂが、周辺部に各々に沿って互いに並列して延びてもよい。
例えば、１対の第１折り目線２１ａ、２１ｂが、周辺部の輪郭の四辺形の辺Ｅ１に各々に沿って互いに並列して延びる。
１対の第２折り目線２２ａ、２２ｂが、周辺部に各々に沿って互いに並列して延びてもよい。
例えば、１対の第２折り目線２２ａ、２２ｂが、周辺部の輪郭の四辺形の他の辺Ｅ２に各々に沿って互いに並列して延びる。
例えば、１対の第１折り目線２１ａ、２１ｂと１対の第２折り目線２２ａ、２２ｂとが、各々に直交する。
１対の第１折り目線と１対の第２折り目線との互いの交点より周辺部の輪郭に近い部分の一部または全部が線状の切れ目である切れ目線４０であってもよい。
例えば、１対の第１折り目線と１対の第２折り目線との互いの交点より周辺部の輪郭に近い部分の一方が線状の切れ目である切れ目線４０である。
図７は、１対の第１折り目線と１対の第２折り目線との互いの交点より周辺部の輪郭に近い部分のうちの辺Ｅ１に直交する部分が線状の切れ目である切れ目線４０であるのを示す。
【００６４】
第２カード部１２は、周辺部に沿って各々に延びる複数の折り目線２０を設けられる。
複数の折り目線は、１対の第４折り目線２４で構成される。
１対の第４折り目線２４は、折り畳み線３０に平行する。
一方の第４折り目線２４ａが、折り畳み線３０に沿って延びる。
他方の第４折り目線２４ｂが、折り畳み線３０に対向する周辺部に沿って延びる。
１対の切れ目線４０ａが、一方の第４折り目線２４の端部から折り畳み線３０にまで延びる。
他の１対の切れ目線４０ｂが、他方の第４折り目線２４の端部から折り畳み線３０の対応する周辺部にまで延びる。
【００６５】
以下に、本発明の第七の実施形態にかかるカードの使用方法を説明する。
図７の上図が、本発明の第七の実施形態にかかるカードを展開した様子を示す。
図７の下図が、本発明の第七の実施形態にかかるカードの使用態様を示す。
【００６６】
通常は、カード１０を折り畳み線３０を境に折り畳んで所持する。
必要のあるときに、第１カード部１１と第２カード部１２とを折り畳み線３０を境に切り離す。
第１カード部１１の周辺部を、１対の第１折り目線２１ａ、２１ｂを境に反射面Ｍの側へ折る。
第１カード部１１の周辺部を、１対の第２折り目線２２ａ、２２ｂを境に反射面Ｍの反対側へ折る。
第２カード部１２を、１対の第４折り目線２４を境に折る。
第２カード部１２を湾曲させて、第２カード部１２の１対の第４折り目線を第１カード部１１の第２折り目線２２の谷側に突き当てる。
反射面Ｍの１対の第１折り目線２１ａ、２１ｂと１対の第２折り目線２２ａ、２２ｂとで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
【００６７】
次に、本発明の第八の実施形態にかかるカードを、図を基に、説明する。
図８は、本発明の第八の実施形態に係るカードの展開図、使用説明図である。
【００６８】
カード１０は、両面Ｓ１、Ｓ２を形成する。
カード１０は、両面のうちの少なくとも片面に光を反射できる反射面Ｍを設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００６９】
カード１０が、反射面Ｍを設けられる片面Ｓ１に各々に延びる複数の直線状の折り目である複数の折り目線２０を設けられる。
複数の折り目線２０が互いに各々に交差して三辺形の輪郭を形成してもよい。
カード１０が、反射面Ｍを設けられる片面Ｓ１に延びる直線状の折り目である複数の折り目線２０を設けられる。
例えば、複数の折り目線２０が、１つの第１折り目線２１と２つの第５折り目線２５である。
１つの第１折り目線２１は、周辺部の輪郭の四辺形の辺Ｅ１に各々に沿って互いに並列して延びる。
２つの第５折り目線２５は、第１折り目線２１を底辺とする三角形の他の２辺を形成する様に延びる。
【００７０】
以下に、本発明の第八の実施形態にかかるカードの使用方法を説明する。
図８の下図が、本発明の第八の実施形態にかかるカードの使用態様を示す。
【００７１】
通常時、カードを所持する。  
必要のあるときに、カード１０の周辺部を、１つの第１折り目線２１と２つの第５折り目線２５とを境に反射面Ｍの側へ折る。
反射面Ｍの１つの第１折り目線２１と２つの第５折り目線２５とで囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
【００７２】
次に、本発明の第九の実施形態にかかるカードを、図を基に、説明する。
図９は、本発明の第九の実施形態に係るカードの展開図、使用説明図である。
【００７３】
本発明の第九の実施形態にかかるカードの構造は、複数の第３折り目線２３が囲う囲い面Ｘが六角形であるのに対し、菱形状の四角形である他は、同じであるので、説明を省略する。
【００７４】
次に、本発明の第十の実施形態に係るカードを、図を基に、説明する。
図１０は、本発明の第十の実施形態に係るカードの展開図、使用説明図である。
【００７５】
カード１０は、両面Ｓ１、Ｓ２を形成する。
カード１０は、両面のうちの少なくとも片面に光を反射できる反射面を設けられる。
例えば、反射面Ｍが、片面Ｓ１の全体に設けられる。
例えば、カード１０の周辺部が、四辺形の輪郭をもつ。
例えば、反射面Ｍの周辺部が、四辺形の輪郭をもつ。
【００７６】
カード１０は、折り畳み線３０を境に折り畳み可能である。
折り畳み線は、折り畳みくせのついた折り目線であってもよい。
カード１０は、第１カード部１１と第２カード部１２と第３カード部１３と第４カード部１４とでで構成される。
第１カード部１１は、両面Ｓ１、Ｓ２を持つ。
第２カード部１２は、第１カード部１１に折り畳み線３０を境にして隣り合う他の両面Ｓ１、Ｓ２を持つ。
第３カード部１３は、第１折り畳み線３１に直交して折り畳まれる他の折り畳み線である第２折り畳み線３２を境にして第１カード部１１に隣り合う他の両面Ｓ１、Ｓ２を持つ。
第４カード部１４は、第１折り畳み線３１に直交して折り畳まれる他の折り畳み線である第２折り畳み線３２を境にして第２カード部１２に隣り合う他の両面Ｓ１、Ｓ２を持つ。
第３カード部１３と第４カード部１４とが切れ目線４０を境にする。
カード１０が、第１折り畳み線３１と第２折り畳み線３２とを境にして平面に展開したときに、第１カード部１１と第２カード部１２と第３カード部１３と第４カード部１４との同一の方向を向く各々の片面に光を反射できる反射面Ｍを設けられる。
【００７７】
複数のカード部のうちの一つのカード部は、反射面Ｍを設けられる片面に各々に延びる複数の直線状の折り目である複数の折り目線２０を設けられる。
複数の折り目線２０が、各々に交差して、交点を結ぶ多角形の輪郭を形成してもよい。
複数の折り目線２０の構造は、前述の折り目線２０の構造のうちの任意の構造を採用してもよい。
図１０は、第４カード部１４に三角形の輪郭を形成する複数の折り目線を設ける態様を示す。
【００７８】
以下に、本発明の第十の実施形態にかかるカードの使用方法を説明する。
図１０の上図が、本発明の第十の実施形態にかかるカードを展開する様子を示す。
図１０の下図が、本発明の第十の実施形態にかかるカードの使用態様を示す。
【００７９】
通常は、第３カード部と第４カード部との境を切り離して、カードを折り畳み線３０を境に折り畳んで、所持する。
必要なときに、複数の折り目線を境２０に折って、複数の折り目線２０で囲われる領域の平面度を容易に維持できる。
カード１０を持って、反射面Ｍを太陽に向けて太陽光を反射させる。
反射された太陽光を、意図する向きに送る。
例えば、地震等で動けなくなったときに、カード１０を使用して反射された太陽光で捜索隊に合図を送ることができる。
【００８０】
第３カード部と第４カード部との境を切り離し第１カード部と第２カード部とを重ねる。
その結果、第１カード部の片面と第２カード部の片面と第３カード部の片面とで互いに９０度に交差する反射面を形成でき、受けた光を来た方向に反射できる。
【００８１】
本発明の実施形態に係るカードは、その構成により、以下の効果を有する。
形成された両面のうちの少なくとも片面に反射面Ｍを設け、片面の周辺部に複数の折り目線２０を設ける様にしたので、折り目線２０を境にカード１０を折ると、反射面Ｍの平面度を維持しやすくなり、反射面Ｍで反射させた光を遠くまで届けることをできる。
また、周辺部に沿って並列して延びる１対の第１折り目線２１ａ、２１ｂと１対の第２折り目線２２ａ、２２ｂとを設け、１対の第１折り目線２１ａ、２１ｂと１対の第２折り目線２２ａ、２２ｂとが各々に交差する様にしたので、折り目線２０を境にカード１０を折ると、反射面Ｍの第１折り目線２１ａ、２１ｂと第２折り目線２２ａ、２２ｂとで囲われた領域の平面度を維持しやすくなり、反射面Ｍで反射させた光を遠くまで届けることをできる。
また、１対の第１折り目線は四辺形の１対の辺に平行に延び、１対の第２折り目線が四辺形の他の１対の辺に平行に延びる様にしたので、折り目線２０を境にカード１０を折ると、１対の第１折り目線２１ａ、２１ｂと１対の第２折り目線２２ａ、２２ｂとで囲われた略四辺形の領域の平面度を維持しやすくなり、反射面Ｍで反射させた光を遠くまで届けることをできる。
また、折り畳み線３０を境にして折り畳み可能であり、折り畳み線３０を境に一方の両面の少なくとも片面に反射面Ｍを形成し、片面の周辺部に複数の折り目線２０を設ける様にしたので、折り目線２０を境にカード１０を折り、他方の両面を形成する部分で反射面Ｍを形成する部分を支えると、反射面Ｍの平面度を維持しやすくなり、反射面Ｍで反射させた光を遠くまで届けることをできる。
また、複数の第３折り目線２３が反射面Ｍに位置する囲い面Ｘを囲い、囲い面Ｘの領域に切れ目４０を設ける様にしたので、第３折り目線２３を境に折ると、囲い面Ｘの周囲の領域の平面度を維持しやすくなり、反射面Ｍで反射させた光を遠くまで届けることをできる。
また、複数の第３折り目線２３が反射面Ｍに位置する複数の囲い面Ｘを各々に囲い、囲い面Ｘの領域に切れ目４０を設ける様にしたので、第３折り目線２３を境に折ると、囲い面Ｘの周囲の領域の平面度を維持しやすくなり、反射面Ｍで反射させた光を遠くまで届けることをできる。
また、第３折り目線２３が第１折り目線２１ａ、２１ｂと第２折り目線２２ａ、２２ｂとの互いの交点を対角線状に結ぶ仮想対角線に交差する様にしたので、第３折り目線２３を境にカードを折ると、反射面Ｍの平面度をより維持しやくするなり、反射面Ｍで反射させた光を遠くまで届けることをできる。
また、第３折り目線２３が複数の折り目線２０との交点を対角線状に結ぶ仮想対角線に交差する様にしたので、第３折り目線２３を境にカードを折ると、反射面Ｍの平面度をより維持しやくするなり、反射面Ｍで反射させた光を遠くまで届けることをできる。
また、第１折り畳み線３１を境にして第１カード部１１と第２カード部１２とを隣り合わせ、第１折り畳み線３１に直交する第２折り畳み線３２を境にして第１カード部１１と第３カード部１３、第２カード部１２と第４カード部１４とを隣り合わせ、平面に展開したときに４つの両面の一方の側各々の片面に反射面を設ける様にしたので、第３カード部１３と第４カード部１４との境を切り離し第１カード部１１と第２カード部１２とを重ねると第１カード部１１の片面と第２カード部１２の片面と第３カード部１３の片面とで互いに９０度に交差する反射面を形成でき、受けた光を来た方向に反射できる。
また、複数の折り目線２０を折り曲げて三角形の反射面Ｍを形成できる様にしたので、折り目線を境にカードを折ると、反射面Ｍの複数の折り目線で囲われた三角形の領域の平面度を維持しやすくなり、三角形の反射面Ｍで反射させた光を遠くまで届けることをできる。
また、複数の折り目線２０を折り曲げて四角形の反射面Ｍを形成できる様にしたので、折り目線を境にカードを折ると、反射面Ｍの複数の折り目線２０で囲われた四角形の領域の平面度を維持しやすくなり、四角形の反射面Ｍで反射させた光を遠くまで届けることをできる。
【００８２】
本発明は以上に述べた実施形態に限られるものではなく、発明の要旨を逸脱しない範囲で各種の変更が可能である。
カードの輪郭が四辺形である例で説明したが、これに限定されず、任意形状であってもよい。
また、折り目線をミシン目であるとして説明したが、これに限定されず、折ることを容易にする形状であればよい。
【符号の説明】
【００８３】
Ｅ１  辺
Ｅ２  辺
Ｍ  反射面
Ｘ  囲い面
Ｓ１  片面
Ｓ２  他の片面
１０  カード
１１  第１カード部
１２  第２カード部
１３  第３カード部
１４  第４カード部
２０  折り目線
２１ａ、２１ｂ  第１折り目線
２２ａ、２２ｂ  第２折り目線
２３  第３折り目線
２４  第４折り目線
２５  第５折り目線
３０  折り畳み線
３１  第１折り畳み線
３２  第２折り畳み線
４０、４０ａ、４０ｂ  切れ目線
５０  仮想対角線
【先行技術文献】
【特許文献】
【００８４】
【特許文献１】実開平４−３０９８２号
【特許文献２】実開平１−１４９７１６号
【特許文献３】実用新案登録第３１３９５００号
【図１】
2013216032.tif 000003
【図２】
2013216032.tif 000004
【図３】
2013216032.tif 000005
【図４】
2013216032.tif 000006
【図５】
2013216032.tif 000007
【図６】
2013216032.tif 000008
【図７】
2013216032.tif 000009
【図８】
2013216032.tif 000010
【図９】
2013216032.tif 000011
【図１０】
2013216032.tif 000012